(57)【要約】 【課題】  本発明は、長い杭でも蓮田にしっかりと杭を打ち込むことができる鴨よけネット施工器具を提供することを目的とするものである。【解決手段】  本発明は、一端を尖らせ、他端に紐通しを設けた蓋を取り付けた棒からなる杭と、上部が左受け板である半円筒状の左本体及び上部が右受け板である半円筒状の右本体を、一端に設けた軸を中心に回動させて開き、内部に杭を挟み込んだ後、右本体の上下支点を中心に回動する上下留具を、左本体の凸部の上下溝に嵌め込むことにより、杭を周りから押さえ付ける固定具と、杭を通すための凹部がある円盤状の本体に設けられた左把持部の左ハンドル及び右把持部の右ハンドルを両手で握り、固定具を上から叩き付ける打込具とからなり、杭を蓮田に複数打ち込み、杭の紐通しに紐を通してネットを掛けることにより、鴨が侵入するのを防ぐことを特徴とする鴨よけネット施工器具の構成とした。【選択図】  図１
2006129779.tif 000002
【特許請求の範囲】
【請求項１】
一端を尖らせ、他端に紐通しを設けた蓋を取り付けた棒からなる杭と、上部が左受け板である半円筒状の左本体及び上部が右受け板である半円筒状の右本体を、一端に設けた軸を中心に回動させて開き、内部に前記杭を挟み込んだ後、右本体の上支点を中心に回動する上留具を、左本体の凸部の上溝に嵌め込み及び右本体の下支点を中心に回動する下留具を、左本体の凸部の下溝に嵌め込むことにより、前記杭を周りから押さえ付ける固定具と、前記杭を通すための凹部がある円盤状の本体に設けられた左把持部の左ハンドル及び右把持部の右ハンドルを両手で握り、前記固定具を上から叩き付ける打込具とからなり、前記杭を蓮田に複数打ち込み、前記杭の紐通しに紐を通してネットを掛けることにより、鴨が侵入するのを防ぐことを特徴とする鴨よけネット施工器具。
【発明の詳細な説明】
【技術分野】
【０００１】
本発明は、蓮田に鴨が侵入するのを防ぐネットを張るために、杭を打ち込む鴨よけネット施工器具に関する発明である。
【背景技術】
【０００２】
従来から、蓮田では、強風により蓮葉が損傷したり、鴨などの水鳥に蓮根を食されてしまうことがあり、蓮を保護するために、鴨などの水鳥が蓮田の中に侵入するのを防ぐ等の対策が採られている。
【０００３】
特許文献１に記載の発明のように、蓮栽培用泥田上に防風・防鳥用ネットを張設し、強風による蓮葉の損傷を防ぎ、鴨などの水鳥による蓮根の食害を防ぐための蓮田用防風・防鳥ネット棚の構造という発明も公開されている。
【特許文献１】特開平０９−２３８５８２号公報
【発明の開示】
【発明が解決しようとする課題】
【０００４】
しかしながら、蓮田は深い泥田であるため、長い杭を底深くまでしっかり打ち込む必要があるが、長い杭の場合、打ち始めは杭の上端が高い位置にあり、上から叩き付けるのが困難である。
【０００５】
そこで、本発明は、長い杭でも蓮田にしっかりと杭を打ち込むことができる鴨よけネット施工器具を提供することを目的とするものである。
【課題を解決するための手段】
【０００６】
本発明は、上記の課題を解決するために、一端を尖らせ、他端に紐通し２ｃを設けた蓋２ｂを取り付けた棒２ａからなる杭２と、上部が左受け板５である半円筒状の左本体７及び上部が右受け板６である半円筒状の右本体８を、一端に設けた軸１３を中心に回動させて開き、内部に前記杭２を挟み込んだ後、右本体８の上支点１０ａを中心に回動する上留具１０を、左本体７の凸部９の上溝９ａに嵌め込み及び右本体８の下支点１１ａを中心に回動する下留具１１を、左本体７の凸部９の下溝９ｂに嵌め込むことにより、前記杭２を周りから押さえ付ける固定具４と、前記杭２を通すための凹部１５ａがある円盤状の本体１５に設けられた左把持部１８の左ハンドル１８ａ及び右把持部１９の右ハンドル１９ａを両手で握り、前記固定具４を上から叩き付ける打込具１４とからなり、前記杭２を蓮田に複数打ち込み、前記杭２の紐通し２ｃに紐３ａを通してネット３を掛けることにより、鴨が侵入するのを防ぐことを特徴とする鴨よけネット施工器具１の構成とした。
【発明の効果】
【０００７】
本発明は、以上の構成であるから以下の効果が得られる。第１に、固定具を杭の任意の位置に取り付けることができるので、作業者は容易に杭を打ち込むことができる。また、固定具も簡単に取付け及び取外しができるので、作業効率が大幅に向上する。
【０００８】
第２に、固定具の上を打込具で叩き付けることにより、杭をしっかり打ち込むことができる。また、杭の中間位置から叩くことができるので、杭の上端を叩くよりも、真っ直ぐに打ち込むことができる。
【発明を実施するための最良の形態】
【０００９】
打込具で叩くのを杭ではなく固定具にし、しかも固定具を着脱容易にすることで、簡単に杭が打ち込めるようにした。
【実施例１】
【００１０】
以下に、添付図面に基づいて、本発明である鴨よけネット施工器具について詳細に説明する。
【００１１】
鴨よけネット施工器具１は、一端を尖らせ、他端に紐通し２ｃを設けた蓋２ｂを取り付けた棒２ａからなる杭２と、上部が左受け板５である半円筒状の左本体７及び上部が右受け板６である半円筒状の右本体８を、一端に設けた軸１３を中心に回動させて開き、内部に前記杭２を挟み込んだ後、右本体８の上支点１０ａを中心に回動する上留具１０を、左本体７の凸部９の上溝９ａに嵌め込み及び右本体８の下支点１１ａを中心に回動する下留具１１を、左本体７の凸部９の下溝９ｂに嵌め込むことにより、前記杭２を周りから押さえ付ける固定具４と、前記杭２を通すための凹部１５ａがある円盤状の本体１５に設けられた左把持部１８の左ハンドル１８ａ及び右把持部１９の右ハンドル１９ａを両手で握り、前記固定具４を上から叩き付ける打込具１４とからなり、前記杭２を蓮田に複数打ち込み、前記杭２の紐通し２ｃに紐３ａを通してネット３を掛けることにより、鴨が侵入するのを防ぐことを特徴とする。
【００１２】
図１は、本発明である鴨よけネット施工器具の全体図である。図１では、複数の杭２が蓮田に打ち込まれ、ネット３が張られた状態であり、蓮田の中に鴨などの水鳥が侵入するのを防ぐことができる。
【００１３】
杭２は、蓮田を囲むように任意の間隔を置いて打ち込まれる。杭２には、棒２ａの上端に、紐通し２ｃを有する蓋２ｂが取り付けられる。紐通し２ｃは逆Ｕ字型をしており、蓋２ｂの差込孔２ｄに両端が嵌め込まれる。
【００１４】
杭２の紐通し２ｃには、ネット３の紐３ａが通される。図１に示すように、蓮田の外周に沿って、紐３ａを杭２に通していき、更に、対面にある杭２同士を紐３ａで結ぶことにより格子状にする。
【００１５】
杭２に紐３ａを通した上で、間に網３ｂを張っていくことにより、鴨よけのネット３が完成する。ただし、杭２の配置及びネット３の張り方については、蓮田の形状により臨機応変に行う。
【００１６】
図２は、本発明である鴨よけネット施工器具で使用する固定具の正面図であり、図３は、本発明である鴨よけネット施工器具で使用する固定具の右側面図であり、図４は、本発明である鴨よけネット施工器具で使用する固定具の斜視図であり、図５は、本発明である鴨よけネット施工器具で使用する固定具の背面図であり、図６は、本発明である鴨よけネット施工器具で使用する固定具の平面図である。
【００１７】
固定具４は、左本体７及び右本体８からなる。左本体７及び右本体８は、共に半円筒状であり、合わせることで円筒状になる。左本体７及び右本体８の一端は軸１３により接続され、軸１３を中心に回動する。
【００１８】
左本体７及び右本体８の上部には、金属製の左受け板５及び右受け板６が連設される。左受け板５及び右受け板６は、上面が平らであり、左本体７及び右本体８から続いて中心に杭２を通す孔を有する。
【００１９】
また、左本体７及び右本体８の開く側を固定するために、左本体７に凸部９を設け、右本体８に上留具１０及び下留具１１を設ける。上留具１０及び下留具１１を凸部９に空けた上溝９ａ及び下溝９ｂに嵌め込んで固定する。
【００２０】
上留具１０は、一端が上支点１０ａにおいて右本体８に取り付けられ、上支点１０ａを中心に回動する。凸部９の上溝９ａに嵌め込んだ後、上ナット１０ｃを締めて固定する。尚、上座金１０ｂは、凸部９及び上留具１０の表面を保護するための金具であり、上座金１０ｂを間に挟むことにより、しっかり締め付けることもできる。
【００２１】
同様に、下留具１１は、一端が下支点１１ａにおいて右本体８に取り付けられ、下支点１１ａを中心に回動する。凸部９の下溝９ｂに嵌め込んだ後、下ナット１１ｃを締めて固定する。尚、下座金１１ｂは、凸部９及び下留具１１の表面を保護するための金具であり、下座金１１ｂを間に挟むことにより、しっかり締め付けることもできる。
【００２２】
取っ手１２は、固定具４を持ち運びやすいように、Ｕ字型の金棒を右本体８に取り付けたものである。尚、図２から図６に示したものに限らず、使いやすい形状や材質に変えても構わず、取り付け位置も任意である。
【００２３】
図７は、本発明である鴨よけネット施工器具で使用する固定具の使用方法を示す斜視図である。杭２を蓮田に打ち込むために、固定具４を杭２の棒２ａの任意の位置に取り付ける状況である。
【００２４】
上留具１０及び下留具１１は、上ナット１０ｃ及び下ナット１１ｃを緩め、回動させて凸部９から外しておく。左本体７及び右本体８を軸１３を中心に回動させ、棒２ａが通る幅まで開く。
【００２５】
固定具４の開いた側から、棒２ａを固定具４の中心に導く。固定具４の左本体７及び右本体８を回動させて閉め、棒２ａの周囲を固定具４で覆う。尚、固定具４の中心を通る孔は、棒２ａの直径と同じか若干小さく、固定具４の孔の内側は滑りにくいものであることが望ましい。
【００２６】
上留具１０及び下留具１１を回動させて、凸部９の上溝９ａ及び下溝９ｂに嵌め込み、上ナット１０ｃ及び下ナット１１ｃを締めて、左本体７及び右本体８が開かないように、また、杭２をしっかり押さえ付けられるように固定する。
【００２７】
図８は、本発明である鴨よけネット施工器具で使用する打込具の平面図であり、図９は、本発明である鴨よけネット施工器具で使用する打込具の斜視図である。
【００２８】
打込具１４は、本体１５、左把持部１８及び右把持部１９からなる。本体１５は、円盤状の金属板であり、杭２を通せるように、下側から中心にかけて杭２より若干大きい幅で凹部１５ａが設けられる。
【００２９】
本体１５の凹部１５ａの左右には、凸部１６及び凸部１７が取り付けられ、打込具１４を使用する際に、打込具１４及び杭２を保護し、また、打込具１４が杭２に沿って真っ直ぐに動かせるように補助する。
【００３０】
左把持部１８は、本体１５から垂直に伸びた鉄棒である左支柱１８ｂと、前記左支柱１８ｂから直角に連設された左ハンドル１８ａとからなり、左ハンドル１８ａを手で握って使用する。
【００３１】
同様に、右把持部１９は、本体１５から垂直に伸びた鉄棒である右支柱１９ｂと、前記右支柱１９ｂから直角に連設された右ハンドル１９ａとからなり、右ハンドル１９ａを手で握って使用する。
【００３２】
図１０は、本発明である鴨よけネット施工器具で使用する固定具と打込具の使用状態を示した斜視図であり、図１１は、本発明である鴨よけネット施工器具で使用する固定具と打込具により杭を打ち込む状況を示した斜視図である。
【００３３】
図１０に示すように、鴨よけネット施工器具１は、固定具４の左受け板５及び右受け板６の上面に、打込具１４の下面を合わせるようにして使用する。尚、使用時には、固定具４の中心の孔及び打込具１４の凹部１５ａに杭２が通る。
【００３４】
図１１に示すように、杭２の棒２ａに固定具４を取り付け、打込具１４の左ハンドル１８ａ及び右ハンドル１９ａを両手で持ち、固定具４の上方から打込具１４を打ち付けることにより、杭２を地面に埋め込んでいく。
【００３５】
打込具１４を持ち上げ、固定具４に対して打ち下ろせば良いので、細い杭２を直接打ち込むよりも作業が容易であり、また、杭２自体を叩く訳ではないので、杭２を傷付けることもない。
【００３６】
図１２は、本発明である鴨よけネット施工器具で使用する杭の正面図であり、図１３は、本発明である鴨よけネット施工器具で使用する杭の縦断面図である。
【００３７】
杭２は、上端に蓋２ｂを付けた棒２ａである。棒２ａは、円柱状をしており、下端は地面に挿しやすいように尖らせてある。棒２ａに固定具４を取り付けるので、あらかじめ蓋２ｂを付けておいても問題はない。
【００３８】
蓋２ｂは、円柱状の容器を逆にした形状で、下面が空いており、杭２の上端に被せる。蓋２ｂの上面に空けられた二つの差込孔２ｄからは、紐通し２ｃが出ており、紐通し２ｃと蓋２ｂの間の空間にネット３の紐３ａが通される。
【００３９】
紐通し２ｃは、逆Ｕ字型の金具であり、紐通し２ｃの左端２ｅ及び右端２ｆが差込孔２ｄを貫通し、棒２ａの上面に空けられた左孔２ｇ及び右孔２ｈに固定される。
【００４０】
以上のように、本発明である鴨よけネット施工器具１は、固定具４を杭２の任意の位置に取り付けることができるので、作業者は容易に杭２を打ち込むことができる。また、固定具４も簡単に取付け及び取外しができるので、作業効率が大幅に向上する。
【００４１】
固定具４の上を打込具１４で叩き付けることにより、杭２をしっかり打ち込むことができる。また、杭２の中間位置から叩くことができるので、杭２の上端を叩くよりも、真っ直ぐに打ち込むことができる。
【図面の簡単な説明】
【００４２】
【図１】本発明である鴨よけネット施工器具の全体図である。
【図２】本発明である鴨よけネット施工器具で使用する固定具の正面図である。
【図３】本発明である鴨よけネット施工器具で使用する固定具の右側面図である。
【図４】本発明である鴨よけネット施工器具で使用する固定具の斜視図である。
【図５】本発明である鴨よけネット施工器具で使用する固定具の背面図である。
【図６】本発明である鴨よけネット施工器具で使用する固定具の平面図である。
【図７】本発明である鴨よけネット施工器具で使用する固定具の使用方法を示す斜視図である。
【図８】本発明である鴨よけネット施工器具で使用する打込具の平面図である。
【図９】本発明である鴨よけネット施工器具で使用する打込具の斜視図である。
【図１０】本発明である鴨よけネット施工器具で使用する固定具と打込具の使用状態を示した斜視図である。
【図１１】本発明である鴨よけネット施工器具で使用する固定具と打込具により杭を打ち込む状況を示した斜視図である。
【図１２】本発明である鴨よけネット施工器具で使用する杭の正面図である。
【図１３】本発明である鴨よけネット施工器具で使用する杭の縦断面図である。
【符号の説明】
【００４３】
１      鴨よけネット施工器具
２      杭
２ａ    棒
２ｂ    蓋
２ｃ    紐通し
２ｄ    差込孔
２ｅ    左端
２ｆ    右端
２ｇ    左孔
２ｈ    右孔
３      ネット
３ａ    紐
３ｂ    網
４      固定具
５      左受け板
６      右受け板
７      左本体
８      右本体
９      凸部
９ａ    上溝
９ｂ    下溝
１０    上留具
１０ａ  上支点
１０ｂ  上座金
１０ｃ  上ナット
１１    下留具
１１ａ  下支点
１１ｂ  下座金
１１ｃ  下ナット
１２    取っ手
１３    軸
１４    打込具  
１５    本体
１５ａ  凹部
１６    凸部
１７    凸部
１８    左把持部
１８ａ  左ハンドル
１８ｂ  左支柱
１９    右把持部
１９ａ  右ハンドル
１９ｂ  右支柱
【図１】
2006129779.tif 000003
【図２】
2006129779.tif 000004
【図３】
2006129779.tif 000005
【図４】
2006129779.tif 000006
【図５】
2006129779.tif 000007
【図６】
2006129779.tif 000008
【図７】
2006129779.tif 000009
【図８】
2006129779.tif 000010
【図９】
2006129779.tif 000011
【図１０】
2006129779.tif 000012
【図１１】
2006129779.tif 000013
【図１２】
2006129779.tif 000014
【図１３】
2006129779.tif 000015